(57)【要約】【課題】周波数特性の共振ピークを低減することにより、広域の再生能力を持つスピーカ装置を提供する。【解決手段】内周振動板１０ａと、外周振動板１０ｂとの曲率半径Ｒ1、Ｒ2を異ならしめることにより、内周振動板１０ａと、外周振動板１０ｂとの共振周波数を異ならしめる。また、内周振動板１０ａと、外周振動板１０ｂとの面積Ｓ1、Ｓ2を等しくし、両振動板１０ａ及び１０ｂの音圧レベルを同等にする。【選択図】図１
2007215222.tif 000002
【特許請求の範囲】
【請求項１】
フレームと、振動板及びボイスコイルを有する振動体と、磁石、ヨーク及びプレートを有する磁気回路とを備えたスピーカ装置において、
前記振動板が、内周振動板と該内周振動板を取り囲む外周振動板とを有しおり、
前記内周振動板の内周部と、前記外周振動板の外周部とが前記フレームに支持され、
前記内周振動板及び前記外周振動板が、互いの曲率半径が異なるように曲面状に形成されていることを特徴とするスピーカ装置。
【請求項２】
前記内周振動板の外周部における接線、及び、前記振動体の振動方向、が成す角度と、前記外周振動板の内周部における接線、及び、前記振動板の振動方向、が成す角度と、は互いに異なることを特徴とする請求項１に記載のスピーカ装置。
【請求項３】
前記内周振動板及び前記外周振動板が有する面積は、互いに略同一であることを特徴とする請求項１又は２に記載のスピーカ装置。
【請求項４】
前記内周振動板の内周部及び前記外周振動板の外周部にはエッジが取り付けられ、
前記エッジが前記フレームに支持されていることを特徴とする請求項１〜３何れか１項に記載のスピーカ装置。
【請求項５】
前記ボイスコイルに対する前記内周振動板の高さと、前記ボイスコイルに対する前記外周振動板の高さとが、略同じであることを特徴とする請求項１〜４何れか１項に記載のスピーカ装置。
【請求項６】
前記振動板の前面側にホーンが配置されていることを特徴とする請求項１〜５何れか１項に記載のスピーカ装置。
【請求項７】
前記内周振動板と前記外周振動板とが、一体に成形されていることを特徴とする請求項１〜６何れか１項に記載のスピーカ装置。
【請求項８】
前記振動板の前面側には保護部材が配置されていることを特徴とする請求項１〜７何れか１項に記載のスピーカ装置。
【発明の詳細な説明】
【技術分野】
【０００１】
本発明は、スピーカ装置に係わり、特に、外周にボイスコイルが取り付けられるリング状の内周振動板と、内周に前記ボイスコイルが取り付けられるリング状の外周振動板とから構成される振動板を供えたスピーカ装置に関するものである。
【背景技術】
【０００２】
一般的に、スピーカ装置は、音波発生用の振動板と、この振動板と一体に設けられ、振動可能なダンパなどにより弾性支持されているボイスコイルボビンと、ボイスコイルボビンに巻回され、磁気ギャップ内に配置されたボイスコイルとを備えたものが知られている。
【０００３】
このスピーカ装置は、ボイスコイルに再生音に応じた電流を流すことにより、ボイスコイルを介して、振動板を振動させ、音響エネルギーである音波を発生させている。
【発明の開示】
【発明が解決しようとする課題】
【０００４】
ところで、近年、ＤＶＤなどの普及により、広域の再生能力を持つスピーカ装置が要求されている。このため、スピーカ装置の周波数特性における共振ピークを低減して、不要音を極力排除することが望まれている。
【０００５】
そこで、本発明は、上記のような問題点を一例とし、周波数特性の共振ピークを低減することにより、広域の再生能力を持つスピーカ装置を提供すること等、を課題とする。
【課題を解決するための手段】
【０００６】
上記課題を解決するためになされた請求項１記載の発明は、フレームと、振動板及びボイスコイルを有する振動体と、磁石、ヨーク及びプレートを有する磁気回路とを備えたスピーカ装置において、前記振動板が、内周振動板と該内周振動板を取り囲む外周振動板とを有しおり、前記内周振動板の内周部と、前記外周振動板の外周部とが前記フレームに支持され、前記内周振動板及び前記外周振動板が、互いの曲率半径が異なるように曲面状に形成されていることを特徴とするスピーカ装置に存する。
【０００７】
請求項２記載の発明は、前記内周振動板の外周部における接線、及び、前記振動体の振動方向、が成す角度と、前記外周振動板の内周部における接線、及び、前記振動板の振動方向、が成す角度と、は互いに異なることを特徴とする請求項１に記載のスピーカ装置に存する。
【０００８】
請求項３記載の発明は、前記内周振動板及び前記外周振動板が有する面積は、互いに略同一であることを特徴とする請求項１又は２に記載のスピーカ装置に存する。
【０００９】
請求項４記載の発明は、前記内周振動板の内周部及び前記外周振動板の外周部にはエッジが取り付けられ、前記エッジが前記フレームに支持されていることを特徴とする請求項１〜３何れか１項に記載のスピーカ装置に存する。
【００１０】
請求項５記載の発明は、前記ボイスコイルに対する前記内周振動板の高さと、前記ボイスコイルに対する前記外周振動板の高さとが、略同じであることを特徴とする請求項１〜４何れか１項に記載のスピーカ装置に存する。
【００１１】
請求項６記載の発明は、前記振動板の前面側にホーンが配置されていることを特徴とする請求項１〜５何れか１項に記載のスピーカ装置に存する。
【００１２】
請求項７記載の発明は、前記内周振動板と前記外周振動板とが、一体に成形されていることを特徴とする請求項１〜６何れか１項に記載のスピーカ装置に存する。
【００１３】
請求項８記載の発明は、前記振動板の前面側には保護部材が配置されていることを特徴とする請求項１〜７何れか１項に記載のスピーカ装置に存する。
【００１４】
以上説明したように、請求項１〜８記載の発明によれば、内周振動板及び外周振動板が、互いの曲率半径が異なるように曲面状に形成する。従って、内周振動板の周波数特性と、外周振動板の周波数特性とを合成した周波数特性である振動板全体の周波数特性において、共振ピークを低減することができ、周波数特性をフラットにすることができる。
【発明を実施するための最良の形態】
【００１５】
以下、本発明の実施の形態を図面に基づいて説明する。図１は、本発明のスピーカ装置を構成する振動板の一実施の形態を示す断面図である。
【００１６】
同図に示すように、スピーカ装置は、振動して音波を発生する振動板１０を備えている。そして、この振動板１０は、ボイスコイル１１が巻回されたボイスコイルボビン１２が、外周に取り付けられているリング状の内周振動板１０ａと、ボイスコイルボビン１２が、内周に取り付けられているリング状の外周振動板１０ｂとから構成されている。
【００１７】
上述した内周振動板１０ａの内周及び外周振動板１０ｂの外周は、適度なコンプライアンスと合成とを兼ね備えたリング形状のエッジ１３を介して、フレーム１４に固定されている。このエッジ１３により、振動板１０及びボイスコイルボビン１２を弾性支持することができる。上述した内周振動板１０ａと外周振動板１０ｂとは一体成形されてもよい。また、これら振動板１０ａ、１０ｂとボイスコイルボビン１２とを一体成形するようにしてもよい。
【００１８】
また、上記内周振動板１０ａ及び外周振動板１０ｂは各々、半径方向に曲率がつけられている。図中、Ｒ１が、内周振動板１０ａの曲率がつけられている曲面の曲率半径を示し、Ｒ２が、外周振動板１０ｂの曲率がつけられている曲面の曲率半径を示している。本発明のスピーカ装置においては、内周振動板１０ａの曲率半径Ｒ１と、外周振動板１０ｂの曲率半径Ｒ２とを、互いに異ならしめることにより、内周振動板１０ａと外周振動板１０ｂとの共振周波数を異ならしめしている。
【００１９】
さらに、本発明のスピーカ装置においては、内周振動板１０ａの面積Ｓ１と、外周振動板１０の面積Ｓ２とを等しくすることにより、内周振動板１０ａと外周振動板１０ｂとの音圧レベルを等しくしている。
【００２０】
また、上述した振動板を組み込んだスピーカ装置は、図２（ａ）、（ｂ）に示すようになる。同図（ａ）は、スピーカ装置の正面図、（ｂ）は正面図においてＡ−Ａ′線に沿った断面図である。同図に示すように、スピーカ装置は、さらに、マグネット１５、マグネット１５の上部に配置されたトッププレート１６、マグネット１５の下部と外周に配置されたヨーク１７とを備えている。また、振動板１０の前面には、振動板１０を保護するための保護部材１９が取り付けられている。
【００２１】
さらに、トッププレート１６−ヨーク１７間に磁気ギャップ１８が設けられる。上記各部材が、トッププレート１６→磁気ギャップ１８→ヨーク１７→マグネット１５と一巡する、磁気回路を構成している。そして、上記磁気ギャップ１８にボイスコイル１１が配置される。
【００２２】
上述した構成のスピーカ装置の周波数特性について、図３及び図４を参照して以下説明する。図３（ａ）は、内周振動板１０ａ及び外周振動板１０ｂの各々の周波数特性Ａ、Ｂを示すグラフである。
【００２３】
上述した構成でも説明したように、曲率半径Ｒ1≠曲率半径Ｒ2とすることにより、内周振動板１０ａと外周振動板１０ｂとの共振周波数をずらすことができる。また、面積Ｓ1＝面積Ｓ2とすることにより、内周振動板１０ａと外周振動板１０ｂとの音圧レベルがほぼ等しくすることができる。なお、本実施形態において、共振周波数は、高域共振周波数である。
【００２４】
従って、図３（ｂ）に示す、内周振動板１０ａの周波数特性と、外周振動板１０ｂの周波数特性とを合成した周波数特性である振動板１０全体の周波数特性において、高域の共振ピークを低減することができ、周波数特性をフラットにすることができる。このため、本発明のスピーカ装置は、広域の再生能力を持つことができる。
【００２５】
上記の周波数特性をフラットにすることについては、図４に示す、本発明のスピーカ装置の周波数特性Ｃと、内周振動板１０ａと外周振動板１０ｂとの共振周波数が同一である従来のスピーカ装置の周波数特性Ｄとを示すグラフからも明らかである。同図に示すように、従来のスピーカ装置では、高域での共振ピークＱｐが低減されておらず、周波数特性がフラットになる領域が狭い。これに比べて、本発明のスピーカ装置は、共振ピークが低減され、且つほとんど現れておらず、周波数特性がフラットになる領域が広い。
【００２６】
上述したスピーカ装置によれば、内周振動板１０ａ及び外周振動板１０ｂの曲率半径Ｒ1及びＲ2、つまり、曲率を異ならしめるだけで、簡単に、内周振動板１０ａと外周振動板１０ｂとの共振周波数を異ならせている。しかも、内周振動板１０ａ及び外周振動板１０ｂに曲率をつけることにより、高域での振動板１０の変形・分割振動の防止を図ることができる。
【００２７】
また、上述したスピーカ装置によれば、内周振動板１０ａと、外周振動板１０ｂとの面積Ｓ1及びＳ2を等しくすることにより、内周振動板１０ａと、外周振動板１０ｂとの音圧レベルを等しくすることができる、つまり、内周振動板１０ａと、外周振動板１０ｂとの各々の共振ピークを同等にすることができるため、より一層、共振ピークを低減することができ、周波数特性をフラットにすることができる。
【００２８】
なお、上述した実施形態によれば、両振動板１０ａ及び１０ｂに曲率をつけ、曲率半径Ｒ1≠曲率半径Ｒ2とすることにより、外周振動板１０ａと内周振動板１０ｂとの共振周波数を異ならせていた。しかしながら、共振周波数を異ならせる方法としては、上述したものに限られるものではなく、例えば、外周振動板１０ａと内周振動板１０ｂとの頂角θ１及びθ２（図１参照）を異ならせることも考えられる。
【００２９】
頂角θ１は、ボイスコイル１１の巻線方向に対して直角となる直線ｌ３と、内周振動板１０ａの曲面に対する接線ｌ１であり、かつ、その内周振動板１０ａの外周を通る接線ｌ１とがなす角度である。また、頂角θ２は、直線ｌ３と、外周振動板１０ｂの曲面に対する接線ｌ２であり、かつ、その外周振動板１０ｂの内周を通る接線ｌ２とがなす角度である。この場合も、上述した実施形態と同様に、周波数特性をフラットにすることができる。
【００３０】
また、上述した実施形態によれば、内周振動板１０ａ及び外周振動板１０ｂの半径方向に曲率をつけていた。しかし、本発明はこれに限定したものでなく、内周振動板１０ａと外周振動板１０ｂとの共振周波数が異なってさえいれば、例えば、図５に示すように、半径方向が直線状のものであってもよい。ただし、直線状のものだと、高域での振動板１０の変形・分割振動が発生し易いため、上述したように曲率を異ならせた振動板１０の方が望ましい。
【００３１】
また、上述した実施形態によれば、振動板１０から発生する音波を直接拡散させるいわゆるコーン式のスピーカ装置であった。しかし、本発明はこれに限定したものでなく、振動板１０から発生する音波を、開口部に導くホーンを備えたホーン形のスピーカ装置にも適用することができる。図６（ａ）、（ｂ）はホーン形のスピーカ装置の一実施形態を示す。同図（ａ）は、ホーン形のスピーカ装置の正面図、（ｂ）は正面図において、Ｂ−Ｂ′線に沿った断面図である。同図において、振動板１０の前面には、振動板１０からの音波を開口部２１に導くホーン２０が取り付けられている。
【図面の簡単な説明】
【００３２】
【図１】本発明のスピーカ装置を構成する振動板の一実施の形態を示す断面図である。
【図２】図１の振動板を組み込んだスピーカ装置の一実施の形態を示す正面図及びＡ−Ａ′断面図である。
【図３】（ａ）は、図２のスピーカ装置を構成する内周振動板１０ａ及び外周振動板１０ｂ各々の周波数特性を示すグラフである。（ｂ）は、図２のスピーカ装置を構成する振動板１０全体の周波数特性を示すグラフである。
【図４】本発明のスピーカ装置及び従来のスピーカ装置の周波数特性を示すグラフである。
【図５】本発明のスピーカ装置に用いられる振動板の他の実施形態を示す構成図である。
【図６】本発明のスピーカ装置を適用したホーン形のスピーカ装置の一実施の形態を示す正面図及びＢ−Ｂ′断面図である。
【符号の説明】
【００３３】
１０      振動板
１０ａ    内周振動板
１０ｂ    外周振動板
１１      ボイスコイル
１９      保護部材
２０      ホーン
Ｒ1、Ｒ2  曲率半径
【図１】
2007215222.tif 000003
【図２】
2007215222.tif 000004
【図３】
2007215222.tif 000005
【図４】
2007215222.tif 000006
【図５】
2007215222.tif 000007
【図６】
2007215222.tif 000008